(57)【要約】【課題】安価で、簡単に且つ効率よく方形ブロックを製造することができる。【解決手段】敷地内で平面に成形されるとともに複数の方形ブロック１を縦横方向に配列可能な製造ヤード２が設けられ、製造ヤード２の直交する２辺に固定型壁体３を構築する工程と、方形ブロック１の縦横方向の両配列方向において、交互に方形ブロック１の打設領域Ｒを形成するための型枠ブロック５を製造ヤード２内に配置する工程と、製造ヤード２の固定型壁体３と対向する他の２辺のセット位置に可動型壁体４を配置する工程と、打設領域Ｒにコンクリートを打設する工程と、可動型壁体４をセット位置から製造ヤード２の外方へ移動させる工程と、打設した方形ブロック１を取り出す工程と、を有する方形ブロックの製造方法を提供する。【選択図】図６
2014169574.tif 000002
【特許請求の範囲】
【請求項１】
敷地内で水硬性材料から形成される多数の方形ブロックを製造するための方形ブロックの製造方法であって、
前記敷地内で平面に成形されるとともに複数の前記方形ブロックを縦横方向に配列可能な製造ヤードが設けられ、該製造ヤードの直交する２辺に固定型壁体を構築する工程と、
前記方形ブロックの縦横方向の両配列方向において、交互に前記方形ブロックの打設領域を形成するための型枠部材を前記製造ヤード内に配置する工程と、
前記製造ヤードの前記固定型壁体と対向する他の２辺のセット位置に可動型壁体を配置する工程と、
前記打設領域に水硬性材料を打設する工程と、
前記可動型壁体を前記セット位置から前記製造ヤードの外方へ移動させる工程と、
を有することを特徴とする方形ブロックの製造方法。
【請求項２】
前記可動型壁体を前記製造ヤードの外方へ移動させた後、前記型枠部材を取り外して空間箇所を形成する工程と、
前記製造ヤードの前記セット位置に前記可動型壁体を再び配置する第１工程と、
前記空間箇所を次の打設領域とし、直近で打設した方形ブロックを型枠部材として、当該打設領域に水硬性材料を打設する第２工程と、
該第２工程の後、前記可動型壁体を前記製造ヤードの外方へ移動させ、前記型枠部材とした前記方形ブロックを取り出して空間箇所を形成する第３工程と、
を有し、
以降、前記第１工程から第３工程を繰り返し行うことを特徴とする方形ブロックの製造方法。
【請求項３】
前記型枠部材は、方形ブロックの製品寸法と同寸法に製作された型枠ブロックであることを特徴とする請求項１に記載の方形ブロックの製造方法。
【請求項４】
前記可動型壁体を前記製造ヤードの外方へ移動させた後、直近で打設した方形ブロックを取り出す工程を有し、
前記型枠ブロックを同位置に配置させた状態で、以降、前記型枠部材として繰り返し使用することを特徴とする請求項３に記載の方形ブロックの製造方法。
【請求項５】
打設される前記方形ブロックの上部に吊り治具を埋設することを特徴とする請求項１乃至４のいずれか１項に記載の方形ブロックの製造方法。
【請求項６】
前記方形ブロックを形成する水硬性材料は、スランプが５〜１２ｃｍのコンシステンシーであることを特徴とする請求項１乃至５のいずれか１項に記載の方形ブロックの製造方法。
【請求項７】
前記方形ブロックを形成する水硬性材料は、製鋼スラグ６０〜７０ｖｏｌ％、高炉セメント若しくは高炉スラグ微粉末１０〜２０ｖｏｌ％、水１０〜２０ｖｏｌ％の混合物であることを特徴とする請求項１乃至５のいずれか１項に記載の方形ブロックの製造方法。
【請求項８】
前記水硬性材料の打設前の状態において、前記打設領域を画成する前記型枠部材の側面、前記固定型壁体の内面、前記可動型壁体の内面、及び前記製造ヤードの上面に、疎水性のエマルジョンを塗布することを特徴とする請求項１乃至７のいずれか１項に記載の方形ブロックの製造方法。
【請求項９】
前記水硬性材料の打設前の状態において、前記打設領域を画成する前記型枠部材の側面、前記固定型壁体の内面、前記可動型壁体の内面、及び前記製造ヤードの上面に、樹脂製のシートを配設することを特徴とする請求項１乃至７のいずれか１項に記載の方形ブロックの製造方法。
【請求項１０】
前記方形ブロックの打設面上面には、所望の凹凸を設けることを特徴とする請求項１乃至９のいずれか１項に記載の方形ブロックの製造方法。
【請求項１１】
請求項１乃至１０のいずれか１項に記載の方形ブロックの製造方法によって製造されたことを特徴とする方形ブロック。
【発明の詳細な説明】
【技術分野】
【０００１】
本発明は、方形ブロックの製造方法及び方形ブロックに関する。
【背景技術】
【０００２】
砕石や路盤材、骨材等の製造現場では、製品を銘柄別に効率よく区分けするため、製造ヤード内に区分け用の擁壁を設けることがしばしば行われる。この擁壁は、製品の需給量に応じて配置変更が可能であることが望まれており、可動式のものが用いられることが多い。そして、移動の際に揚重用の大型重機を必要としない方法として、方形ブロックを積み重ねて擁壁を形成する手法が多く用いられている。
他方、漁礁用の海底マウンドでは、魚介類のマウンド内の移動や生息を促す目的で、単一粒度の石材やブロックが用いられることが好適であることが知られている。とりわけ同一形状の方形ブロックを用いると、海底マウンド内の空隙を大きくできるため、漁礁に好適とされ、表面に種々の凹凸を設けたブロックを用いることで、藻の着生を促し、良質な漁礁を得ようとする試みが実施されている。
【０００３】
このような擁壁や漁礁等に用いる方形ブロックの製造としては、例えば特許文献１に示されているような、型枠を使用してコンクリートを打設する方法が一般的に用いられている。すなわち、上述した漁礁用のブロックを製造する場合には、そのブロック形状に合わせて組み立てた型枠内にコンクリート等の水硬性材料を充填し、所定の期間、養生したのちに脱型し、ブロックを移動させ、再度型枠を組み立て、水硬性材料を打設することを繰り返すことで製造されている。
【先行技術文献】
【特許文献】
【０００４】
【特許文献１】特開２０１２−６７４８８号公報
【発明の概要】
【発明が解決しようとする課題】
【０００５】
擁壁や漁礁用に用いる方形ブロックでは、単一形状の多数の方形ブロックが必要であり、仮設的な用途、あるいは石材代替の用途であるため、安価に製造できることが必要である。しかしながら、従来の型枠を使用した方形ブロックの製造方法では、打設ごとに発生する型枠の組立・解体作業が不可避でかつ人力作業のため、多大な手間と時間がかかり、製造効率を著しく悪くし、高価な製造法となっていた。そのため、安価で、簡単に且つ効率よく方形ブロックを製造できる方法が求められていた。
【０００６】
本発明は、上述する問題点に鑑みてなされたもので、安価で、簡単に且つ効率よく方形ブロックを製造することができる方形ブロックの製造方法及び方形ブロックを提供することを目的とする。
【課題を解決するための手段】
【０００７】
上記目的を達成するため、本発明に係る方形ブロックの製造方法では、敷地内で水硬性材料から形成される多数の方形ブロックを製造するための方形ブロックの製造方法であって、前記敷地内で平面に成形されるとともに複数の前記方形ブロックを縦横方向に配列可能な製造ヤードが設けられ、該製造ヤードの直交する２辺に固定型壁体を構築する工程と、前記方形ブロックの縦横方向の両配列方向において、交互に前記方形ブロックの打設領域を形成するための型枠部材を前記製造ヤード内に配置する工程と、前記製造ヤードの前記固定型壁体と対向する他の２辺のセット位置に可動型壁体を配置する工程と、前記打設領域に水硬性材料を打設する工程と、前記可動型壁体を前記セット位置から前記製造ヤードの外方へ移動させる工程と、を有することを特徴としている。
【０００８】
また、本発明に係る方形ブロックは、上述した方形ブロックの製造方法によって製造されたことを特徴としている。
【０００９】
本発明では、固定型壁体と可動型壁体とによって四方が囲まれた製造ヤード内において、方形ブロックの縦横方向の両配列方向において交互に型枠部材を配置することで、方形ブロックの打設領域を形成することができ、それら形成された打設領域に水硬性材料を打設し、硬化させてから、脱型することで、一度に多数の方形ブロックを製造することができる。
【００１０】
この場合、製造ヤードの直交する２辺に設けられる固定型壁体が方形ブロックの製造上の縦横方向の基準位置となるので、製造される方形ブロックの精度を確保と、形状の安定化を図ることができ、形状のばらつきを低減させることができる。
【００１１】
また、製造ヤードの２辺が固定型壁体で固定され、他の２辺が可動型壁体で移動可能であるので、方形ブロックの打設時には可動型壁体を前記セット位置から前記製造ヤードの外方へ移動させることで、製造ヤードに自由面を確保することができる。すなわち、可動型壁体を移動させることで、製造ヤード内で打設した方形ブロックと型枠部材との間に生じる拘束力がなくなり、緩みが生じるので、脱型がし易くなる。
【００１２】
さらに、製造ヤード内で交互に型枠部材を配置することで、打設領域も方形ブロック１個置きに形成されているので、その最初の打設領域と型枠部材の配置領域と入れ替えることが可能となる。そのため、例えば、２回目以降の打設においては、直近で打設した方形ブロックを製造ヤード内に残置して型枠部材を取り出し、その型枠部材の取り出し部分を次の打設領域とし、前記残置した方形ブロックを型枠部材として打設することができる。このように製造することで、２回目以降の型枠部材の組立、解体が不要となり、作業効率を向上させることができ、時間の短縮を図ることができるうえ、製造コストの低減を図ることができる。
【００１３】
また、本発明に係る方形ブロックの製造方法では、前記可動型壁体を前記製造ヤードの外方へ移動させた後、前記型枠部材を取り外して空間箇所を形成する工程と、前記製造ヤードの前記セット位置に前記可動型壁体を再び配置する第１工程と、前記空間箇所を次の打設領域とし、直近で打設した方形ブロックを型枠部材として、当該打設領域に水硬性材料を打設する第２工程と、該第２工程の後、前記可動型壁体を前記製造ヤードの外方へ移動させ、前記型枠部材とした前記方形ブロックを取り出して空間箇所を形成する第３工程と、を有し、以降、前記第１工程から第３工程を繰り返し行うことを特徴としている。
【００１４】
このような方形ブロックの製造方法によれば、２回目以降の打設においては、直近で打設した方形ブロックを製造ヤード内に残置して型枠部材を取り出し、その型枠部材を取り出した部分（空間箇所）を次の打設領域とし、前記残置した方形ブロックを型枠部材として打設することができる。したがって、前述のように２回目以降の型枠部材の組立、解体が不要となり、作業効率を向上させることができ、時間の短縮を図ることができるうえ、製造コストの低減を図ることができる。
【００１５】
また、本発明に係る方形ブロックの製造方法では、前記型枠部材は、方形ブロックの製品寸法と同寸法に製作された型枠ブロックであることが好ましい。
【００１６】
この場合には、予め他の場所で製造した型枠ブロックを製造ヤードの所定位置にクレーンなどで吊り下ろすだけで、方形ブロックの縦横方向の両配列方向において、交互に形成される方形ブロックの打設領域を容易に設けることができる。そのため、型枠部材として従来のような型枠板を組み立て、解体するという手間のかかる作業が不要になり、作業効率を向上させることができる。
また、型枠ブロックが方形ブロックの製品寸法と同寸法に製作されているので、型枠部材としての使用が完了したときに、方形ブロックと同様の用途で使用することも可能である。
【００１７】
また、本発明に係る方形ブロックの製造方法では、前記可動型壁体を前記製造ヤードの外方へ移動させた後、直近で打設した方形ブロックを取り出す工程を有し、前記型枠ブロックを同位置に配置させた状態で、以降、前記型枠部材として繰り返し使用することが好ましい。
【００１８】
このような方形ブロックの製造方法によれば、型枠ブロックを製造ヤードの同位置に継続して配置し続けることで、型枠のセットにかかる時間や手間を少なくすることができることから、作業効率を向上させることができる。
【００１９】
また、本発明に係る方形ブロックの製造方法では、打設される前記方形ブロックの上部に吊り治具を埋設することが好ましい。
【００２０】
この場合には、上部に吊り治具を備えた方形ブロックを製造することができるので、その方形ブロックを製造ヤードから取り出す際に吊り治具を使用してクレーン等で吊り上げて容易に移動させることができ、製造作業の効率化を図ることができる。
【００２１】
また、本発明に係る方形ブロックの製造方法では、前記方形ブロックを形成する水硬性材料は、スランプが５〜１２ｃｍのコンシステンシーであることが好ましい。
【００２２】
この場合には、隣り合う型枠部材同士の間から１２ｃｍより大きいスランプの柔らかい水硬性材料が型枠部材の外側に流出するのを防止することができ、５ｃｍより小さいスランプの硬い水硬性材料によって充填性が悪くなることに伴う品質の低下を防止することができる。つまり、型枠部材の外に水硬性材料が流出した場合のように、流出部分が硬化して脱型し難くなるという不具合を無くすことができる。
【００２３】
また、本発明に係る方形ブロックの製造方法では、前記方形ブロックを形成する水硬性材料は、製鋼スラグ６０〜７０ｖｏｌ％、高炉セメント若しくは高炉スラグ微粉末１０〜２０ｖｏｌ％、水１０〜２０ｖｏｌ％の混合物であることが好ましい。
【００２４】
このような方形ブロックの製造方法によれば、方形ブロックを形成する水硬性材料として製鉄所で発生する製鋼スラグや高炉セメント若しくは高炉スラグ微粉末を用いた材料を再利用することができるので、材料費の低減を図ることができることに加え、これらに含まれるミネラル成分の溶出効果により、より良い漁礁環境を形成することができる。
【００２５】
また、本発明に係る方形ブロックの製造方法では、前記水硬性材料の打設前の状態において、前記打設領域を画成する前記型枠部材の側面、前記固定型壁体の内面、前記可動型壁体の内面、及び前記製造ヤードの上面に、疎水性のエマルジョンを塗布することが好ましい。
【００２６】
この場合には、打設領域を画成する型枠の機能を有する面に、例えば剥離剤などの疎水性のエマルジョンが塗布されているので、打設領域内に打設した方形ブロックの脱型を容易に行うことができる。
【００２７】
また、本発明に係る方形ブロックの製造方法では、前記水硬性材料の打設前の状態において、前記打設領域を画成する前記型枠部材の側面、前記固定型壁体の内面、前記可動型壁体の内面、及び前記製造ヤードの上面に、樹脂製のシートを配設することが好ましい。
【００２８】
このような方形ブロックの製造方法によれば、打設領域を画成する型枠の機能を有する面に、樹脂製のシートが配設され、打設領域内に打設した方形ブロックの水硬性材料と型枠面とが密接していないので、脱型を容易に行うことができる。
【００２９】
また、本発明に係る方形ブロックの製造方法では、前記方形ブロックの打設面上面には、所望の凹凸を設けるようにしてもよい。
【００３０】
この場合、形成された方形ブロックの打設面上面に凹凸処理が施された凹凸部が設けられているので、例えば漁礁用などに用いる海洋ブロックとして好適に利用することができる。
【発明の効果】
【００３１】
本発明の方形ブロックの製造方法及び方形ブロックによれば、安価で、簡単に且つ効率よく方形ブロックを製造することができる効果を奏する。
【図面の簡単な説明】
【００３２】
【図１】本発明の実施の形態による方形ブロックの製造方法の概要を示す平面図である。
【図２】図１に示すＡ−Ａ線矢視図である。
【図３】方形ブロックの製造方向の概要を示す一部省略した斜視図である。
【図４】製造する方形ブロックの斜視図である。
【図５】方形ブロックの製造工程の図であって、型枠ブロックを配置した状態を示す平面図である。
【図６】方形ブロックの製造工程の図であって、可動型壁体をセットして第１打設領域にコンクリートを打設した状態を示す平面図である。
【図７】吊り治具の埋設方法を示す図であって、（ａ）は半割り枠の斜視図、（ｂ）は半割り枠に吊り治具を係合した状態を上方から見た図、（ｃ）は半割り枠に吊り治具を係合した状態の側断面図である。
【図８】方形ブロックの製造工程の図であって、可動型壁体を移動させた状態を示す平面図である。
【図９】方形ブロックの製造工程の図であって、脱型により型枠ブロックを取り出した状態を示す平面図である。
【図１０】方形ブロックの製造工程の図であって、可動型壁体をセットして第２打設領域にコンクリートを打設した状態を示す平面図である。
【図１１】方形ブロックの製造工程の図であって、脱型により第１方形ブロックを取り出した状態を示す平面図である。
【発明を実施するための形態】
【００３３】
以下、本発明の実施の形態による方形ブロックの製造方法及び方形ブロックについて、図面に基づいて説明する。
【００３４】
本実施の形態による方形ブロックの製造方法は、図１〜図３に示すように、例えば人工漁礁に用いられる海洋ブロック等の多数の方形ブロック１、１、…が、所定の敷地内に設けられる正方形状の所定の広さを有する製造ヤード２に多数の型枠ブロック５（図３参照からなる型枠部材を配置して、繰り返しコンクリート（水硬性材料）を打設することにより多数の方形ブロック１を製造するための方法である。ここで、図３は、見易くするために方形ブロック１や型枠ブロック５の一部を省略している。また、図１及び後述する図５の縦横の数値（１〜１４）は、配列方向（横方向Ｘ、縦方向Ｙ）に配置される方形ブロック１の数量を示している。
【００３５】
製造される方形ブロック１は、図４に示すように、例えば１ｍ角の立方形状のコンクリート（水硬性材料）造であり、打設時における上部１ａには吊り治具１１が埋設されている。そして、方形ブロック１を形成するためのコンクリートは、スランプが５〜１２ｃｍのコンシステンシーに設定されている。
【００３６】
なお、方形ブロック１を形成する水硬性材料としては、上記コンクリートであることに限定されることはなく、例えば、製鋼スラグ６０〜７０ｖｏｌ％、高炉セメント若しくは高炉スラグ微粉末１０〜２０ｖｏｌ％、水１０〜２０ｖｏｌ％の混合物であってもよいが、本実施の形態では上記スランプのコンクリートを対象とする。
【００３７】
吊り治具１１は、Ｕ字状に形成された鉄筋部材（図７（ｃ）参照）であり、Ｕ字状の湾曲部（フック部１１ａ）が方形ブロック１の上部１ａの中央部分に形成された球面上の凹部１ｂ側から突出して吊りフックを形成している。なお、フック部１１ａは、方形ブロック１の上面の高さからは突出しないように設けられている。
【００３８】
製造ヤード２は、図１及び図３に示すように、平面視で縦方向Ｙ及び横方向Ｘに複数（本実施の形態ではそれぞれ１４個）の方形ブロック１、１、…を配列することが可能な広さを有する例えばコンクリート製の基盤であり、その基盤の上面２ａは高い精度で面一に形成されている。
また、製造ヤード２の外周の４辺には、該製造ヤードの直交する２辺に構築される固定型壁体３と、製造ヤード２の固定型壁体３と対向する他の２辺のセット位置に配置される可動型壁体４と、が設けられている。
【００３９】
固定型壁体３は、例えばコンクリート製、木製、鋼製などから形成され、上述したように正方形をなす製造ヤード２の外周辺のうち角隅部を構成する２辺にＬ字状に設けられ、製造ヤード２の基盤に固定されている。固定型壁体３は、製造ヤード２に打設される多数の方形ブロック１のコンクリート充填圧に耐え得る構造で、その位置が移動しないように基盤に対して固定されていれば良い。例えば固定型壁体３がコンクリート製の場合には、その自重で動かなければとくに固定手段による固定は不要であるし、アンカーやボルト等の固定手段により製造ヤード２の基盤に固定するようにしてもよい。
【００４０】
固定型壁体３は、方形ブロック１と同等、あるいは高い位置に精度よく設けられ、内面３ａ側（製造ヤード２に対向する側）には、鉄板等、離型性の良好な部材を配設している。例えば固定型壁体３がコンクリート製の場合には、そのコンクリートの内面３ａに鉄板を張り付けた構成とすることができる。また、固定型壁体３は、上記Ｌ字状の全体に型枠を組んでコンクリートを打設することで一体的に形成したものでも良いし、ブロック状の単体の型枠体を前記Ｌ字状となるように並べて配設しても良い。
【００４１】
可動型壁体４は、所定形状からなるコンクリート製の単体ブロック４Ａを、打設領域Ｒの外周辺のうち前記固定型壁体３が配設されていない他の２辺のセット位置に移動可能な状態でＬ字状に設けられている。ただし、方形ブロック１の打設中のコンクリート充填圧に耐え得る必要はあるので、所定の重量を有するか、打設時に仮に固定される構成となっている。つまり、可動型壁体４は、製造ヤード２における方形ブロック１の打設毎に所定の打設位置（前記セット位置）と、非セット位置との間で繰り返し移動できればよく、例えば単体ブロック４Ａと基盤との間や、単体ブロック４Ａ、４Ａ同士を着脱可能に固定しておいてもよい。
【００４２】
単体ブロック４Ａは、図１に示すように、平面視で長方形状をなし、一方の長辺方向の側面が方形ブロック１の２個分の寸法となっており、その長辺方向を製造ヤード２の外周辺方向に向けて配列されている。また、単体ブロック４Ａは、方形ブロック１と同等、あるいは高い高さ寸法で設けられ、内面４ａ側（打設領域Ｒに対向する側）には、鉄板等、離型性の良好な部材を配設している。
【００４３】
次に、上述した方形ブロックの本実施の形態による製造方法について、施工手順に基づいて説明する。
先ず、図１及び図３に示すように、敷地内で平面に成形されるとともに複数の方形ブロック１を縦方向Ｙ及び横方向Ｘのそれぞれに配列可能な製造ヤード２を築造するとともに、その製造ヤード２の直交する２辺に固定型壁体３を構築する。
この製造ヤード２の上面、及び固定型壁体３は、打設する方形ブロック１の製造上の縦横方向の基準位置となるので、精度よく製作しておく。
【００４４】
次に、図５に示すように、方形ブロック１の縦方向Ｙ及び横方向Ｘの両方向において、交互に方形ブロック１の打設領域Ｒを形成するための型枠ブロック５（型枠部材）を製造ヤード２内に配置する。すなわち、図５において、白抜き部分は型枠ブロック５が配置される領域であり、それら型枠ブロック５同士に囲まれた領域（色付きの領域）が前記打設領域Ｒとなる。本実施の形態では、このときの打設領域Ｒを第１打設領域Ｒ１という。なお、当該第１打設領域Ｒ１でない型枠ブロック５が配置される箇所は、後述する第２回目の打設箇所（図７に示す第２打設領域Ｒ２）となる。
【００４５】
このとき、図４に示す可動型壁体４は設置されていないので、この可動型壁体４が設置され得るセット位置（製造ヤード２の他の２辺）が開放された自由面をなしており、この開放部分において作業員は移動自在である。そのため、固定型壁体３の角隅部側から順次、型枠ブロック５を配置することで効率の良い設置作業を行うことができる。
【００４６】
ここで、前記型枠ブロック５としては、方形ブロック１の製品寸法と同寸法に製作されたコンクリート製のブロックが用いられている。
【００４７】
次に、図６に示すように、製造ヤード２の固定型壁体３と対向する他の２辺のセット位置に可動型壁体４を配置する。そして、前記複数の型枠ブロック５、５、…の側面、固定型壁体３の内面３ａ、可動型壁体４の内面４ａ、及び製造ヤード２の上面２ａ（図２参照）に剥離剤（疎水性のエマルジョン）を塗布した後、複数の第１打設領域Ｒ１、Ｒ１、…にコンクリートを所定高さまで打設する。
【００４８】
このコンクリートの打設時には、方形ブロック１の上部１ａ（図４参照）に、図７（ａ）〜（ｃ）に示す半球面状の半割り枠６と吊り治具１１を埋設する。つまり、打設後の上部中央部に半割り枠６をその凹面６ａ側を上に向けた状態で、上面の高さから上方に突出しないように配置する。半割り枠６の接合面には一対の穴６ｂが設けられており、吊り治具１１の埋設部１１ｂが挿通可能となっている。コンクリートに配置された半割り枠６の穴６ｂに埋設部１１ｂを挿通させて、Ｕ字状のフック部１１ａが前記凹面６ａ側に位置するように吊り治具１１をセットする。そして、コンクリートが所定の強度に硬化してきた時点で、半割り枠６をコンクリートから取り外し、吊り治具１１をコンクリート内に残置することで、吊り治具１１のみを方形ブロック１の上部１ａに取り付けることができる。なお、フック部１１ａの上端位置も方形ブロック１の上面の高さから上方に突出しないように配置することで、突起部分のない方形ブロック１を製作することができ、それら方形ブロック１を上下に積むことができる。
【００４９】
次に、図８に示すように、コンクリートを養生させ、脱型可能となった時点で可動型壁体４を所定のセット位置から製造ヤード２から離れる外方へ移動させ、その後、複数の型枠ブロック５を製造ヤード２から取り出す。
このとき、先行して可動型壁体４を移動させて、製造ヤード２の外周部分に自由面を形成することで、製造ヤード２内で打設した方形ブロック（これを第１方形ブロック１Ａという）と型枠ブロック５の間に生じる拘束力がなくなり、緩みが生じるので、脱型がし易くなる。ここで、脱型のタイミングとしては、例えばコンクリートに埋設させた吊り治具１１（図４参照）が抜けない強度に硬化したタイミングとされる。
また、可動型壁体４の前記セット位置からずらす移動量は、とくに限定されることはなく、製造ヤード２側（内面側）に僅かに隙間ができる程度でもかまわない。
【００５０】
次いで、図９に示すように、製造ヤード２の前記セット位置に可動型壁体４を再び配置する。このとき、固定型壁体３及び可動型壁体４によって囲まれる製造ヤード２内には直近で打設した複数の第１方形ブロック１Ａ、１Ａ、…が縦横交互に（千鳥状に）残されている。これら残された第１方形ブロック１Ａが２回目打設の型枠の代わりとなり、それら第１方形ブロック１Ａ同士によって囲まれた箇所、すなわち型枠ブロック５を取り出した後の空間箇所が、２回目の打設領域（これを第２打設領域Ｒ２という）となる。
【００５１】
そして、これら第１方形ブロック１Ａの側面、固定型壁体３の内面３ａ、可動型壁体４の内面４ａ、及び製造ヤード２の上面２ａ（図３参照）に前述と同様の剥離剤を塗布する。つまり、第２打設領域Ｒ２の上面側を除く周囲の壁面全体にわたって前記剥離剤が付着された状態となっている。
【００５２】
次に、図１０に示すように、直近で打設した第１方形ブロック１Ａを型枠部材として、第２打設領域Ｒ２にコンクリートを打設して第２方形ブロック１Ｂを製作する。この場合も前述のように各第２打設領域Ｒ２内のコンクリートに対して吊り治具１１（図４参照）を埋設しておく。
【００５３】
次に、コンクリートの養生後で脱型可能となった時点で、可動型壁体４を前記セット位置から離れる外方に移動させ、その後、図１１に示すように、型枠部材とした複数の第１方形ブロック１Ａを製造ヤード２から取り出す。なお、第１方形ブロック１Ａを取り出した後の空間には、次に打設される第３打設領域Ｒ３が形成されることになる。
【００５４】
そして、これ以降は、図９に示す可動型壁体４のセットから脱型までの工程を繰り返し行う。つまり、２回目以降の打設では、縦横方向に碁盤目状に配置される打設領域Ｒのうち、型枠として機能する方形ブロック１が残置される部分とコンクリートが充填される部分とが交互に入れ替わって、その都度、多数の方形ブロック１が製造されることになる。
【００５５】
次に、上述した方形ブロックの製造方法及び方形ブロックの作用について図面に基づいて詳細に説明する。
本実施の形態では、図６に示すように、固定型壁体３と可動型壁体４とによって四方が囲まれた製造ヤード２内において、方形ブロック１の縦方向Ｙ及び横方向Ｘの両配列方向において交互に型枠ブロック５を配置することで、方形ブロック１の打設領域Ｒを形成することができ、それら形成された打設領域Ｒにコンクリートを打設し、硬化させてから、脱型することで、一度に多数の方形ブロック１を製造することができる。
【００５６】
この場合、製造ヤード２の直交する２辺に設けられる固定型壁体３が方形ブロック１の製造上の縦方向Ｙ及び横方向Ｘの基準位置となるので、製造される方形ブロック１の精度を確保と、形状の安定化を図ることができ、形状のばらつきを低減させることができる。
【００５７】
また、製造ヤード２の２辺が固定型壁体３で固定され、他の２辺が可動型壁体４で移動可能であるので、方形ブロック１の打設時には可動型壁体４を前記セット位置から製造ヤード２の外方へ移動させることで、製造ヤード２に自由面を確保することができる（図８参照）。すなわち、可動型壁体４を移動させることで、製造ヤード２内で打設した方形ブロック１と型枠ブロック５との間に生じる拘束力がなくなり、緩みが生じるので、脱型がし易くなる。
【００５８】
さらに、製造ヤード２内で交互に型枠部材（型枠ブロック５又は型枠の代わりに設けられる残置された方形ブロック１）を配置することで、打設領域Ｒも方形ブロック１個置きに形成されているので、その最初の打設領域Ｒと型枠部材の配置領域と入れ替えることが可能となる。そのため、例えば、２回目以降の打設においては、直近で打設した方形ブロック１を製造ヤード２内に残置して型枠部材を取り出し、その型枠部材の取り出し部分を次の打設領域Ｒとし、前記残置した方形ブロック１を型枠部材として打設することができる。
このように製造することで、２回目以降の型枠部材の組立、解体が不要となり、作業効率を向上させることができ、時間の短縮を図ることができるうえ、製造コストの低減を図ることができる。
【００５９】
また、本実施の形態では、型枠ブロック５が方形ブロック１の製品寸法と同寸法に製作されているので、予め他の場所で製造した型枠ブロック５を製造ヤード２の所定位置にクレーンなどで吊り下ろすだけで、方形ブロック１の縦方向Ｙ及び横方向Ｘの両配列方向において、交互に形成される方形ブロック１の打設領域Ｒを容易に設けることができる。そのため、型枠部材として従来のような型枠板を組み立て、解体するという手間のかかる作業が不要になり、作業効率を向上させることができる。
また、型枠ブロック５が方形ブロック１の製品寸法と同寸法に製作されているので、型枠部材としての使用が完了したときに、方形ブロック１と同様に例えば漁礁の海洋ブロックなどの用途として使用することも可能である。
【００６０】
また、本実施の形態では、図４に示すような上部１ａに吊り治具１１を備えた方形ブロック１を製造することができるので、その方形ブロック１を製造ヤード２から取り出す際に吊り治具１１を使用してクレーン等で吊り上げて容易に移動させることができ、製造作業の効率化を図ることができる。
【００６１】
さらに、本実施の形態のコンクリートがスランプ５〜１２ｃｍに設定された材料であるので、隣り合う型枠部材同士の間から１２ｃｍより大きいスランプの柔らかいコンクリートが型枠部材の外側に流出するのを防止することができ、５ｃｍより小さいスランプの硬いコンクリートによって充填性が悪くなることに伴う品質の低下を防止することができる。つまり、型枠部材の外にコンクリートが流出した場合のように、流出部分が硬化して脱型し難くなるという不具合を無くすことができる。
【００６２】
また、打設領域Ｒを画成する型枠の機能を有する面に、剥離剤などの疎水性のエマルジョンが塗布されているので、打設領域Ｒ内に打設した方形ブロック１の脱型を容易に行うことができる。
【００６３】
上述した本実施の形態による方形ブロックの製造方法及び方形ブロックでは、安価で、簡単に且つ効率よく方形ブロック１を製造することができる効果を奏する。
【００６４】
以上、本発明による方形ブロックの製造方法及び方形ブロックの実施の形態について説明したが、本発明は上記の実施の形態に限定されるものではなく、その趣旨を逸脱しない範囲で適宜変更可能である。
【００６５】
例えば、上述した実施の形態では、型枠ブロック５は最初の第１回目の打設のみ（すなわち第１方形ブロック１Ａのみ）使用し、第２回目以降の打設では直近に打設した方形ブロック１を型枠代わりにしているが、このような製造方法であることに限定されることはない。例えば、第２回目以降の打設において、可動型壁体４を移動させた後、直近で打設した方形ブロック１を取り出す工程を有し、型枠ブロック５を同位置に配置させた状態で、以降、この型枠ブロック５を型枠部材として繰り返し使用することも可能である。この場合、型枠ブロック５を製造ヤード２の同位置に継続して配置し続けることで、型枠のセットにかかる時間や手間を少なくすることができることから、作業効率を向上させることができる。
【００６６】
また、本実施の形態のコンクリートに代えて、上述したように水硬性材料として、製鋼スラグ６０〜７０ｖｏｌ％、高炉若しくは高炉スラグ微粉末１０〜２０ｖｏｌ％、水１０〜２０％の混合物を用いることも可能であり、この場合には製鉄所で発生する製鋼スラグや高炉若しくは高炉スラグ微粉末を用いた材料を再利用することができるので、材料費の低減を図ることができる。
【００６７】
また、本実施の形態では、第１回目の打設時における型枠部材として、型枠ブロック５を用いているが、型枠部材の構成については限定されることはなく、第１回目の型枠部材に周知の型枠板を組み立てて打設領域Ｒを形成するようにしてもよい。要は、１回目の型枠部材としては、いかなる形状、構成の型枠部材を採用することが可能であり、この組み立て、解体に手間や時間がかかるものに関しては、２回目の打設以降は、上述の実施の形態のように打設した方形ブロック１を型枠代わりに使用する製造方法とすればよいのである。
【００６８】
また、本実施の形態では、剥離剤を型枠面に塗布しているが、剥離剤に代えて樹脂製のシートを配設することも可能である。この場合、打設領域Ｒを画成する型枠の機能を有する面に、樹脂製のシートが配設され、打設領域Ｒ内に打設した方形ブロック１のコンクリート（水硬性材料）と型枠面とが密接していないので、脱型を容易に行うことができる。
【００６９】
さらに、方形ブロック１の打設面上面に所望の凹凸を設けるようにしてもよい。例えば、打設したコンクリートが適宜な硬さになった後の固化中において、板面に凹凸模様が形成されている板を打設面上面に対して上方から押し付け、その凹凸模様を打設面上面に転写することにより、方形ブロックに凹凸を設けることができる。この場合、形成された方形ブロック１の打設面上面に凹凸処理が施された凹凸部が設けられているので、例えば漁礁用などに用いる海洋ブロックとして好適に利用することができる。
【００７０】
その他、本発明の趣旨を逸脱しない範囲で、上記した実施の形態における構成要素を周知の構成要素に置き換えることは適宜可能である。
【符号の説明】
【００７１】
１、      １Ａ、１Ｂ  方形ブロック
１ａ  上部
２  製造ヤード
３  固定型壁体
３ａ  内面
４  可動型壁体
４ａ  内面
５  型枠ブロック（型枠部材）
６  半割り枠
１１  吊り治具
１１ａ  フック部
Ｒ  打設領域
Ｘ  横方向
Ｙ  縦方向
【図１】
2014169574.tif 000003
【図２】
2014169574.tif 000004
【図３】
2014169574.tif 000005
【図４】
2014169574.tif 000006
【図５】
2014169574.tif 000007
【図６】
2014169574.tif 000008
【図７】
2014169574.tif 000009
【図８】
2014169574.tif 000010
【図９】
2014169574.tif 000011
【図１０】
2014169574.tif 000012
【図１１】
2014169574.tif 000013